(57)【要約】  本発明は、ブロー成形またはストレッチブロー成形によって、異なる高さを取れる熱可塑性物質の容器を製作するための成形装置に関し、前記成形装置は相互に可動である半型（２Ａ、２Ｂ）および軸方向に可動である金型基部（５）をもつ金型（１）を備え；金型基部は、軸方向移動のための動作手段が連結されているホルダ（２２）によって支持されており；金型基部およびそのホルダ（２２）は、成形用キャビティの高さに対応して調整可能であり、逆方向ピッチの２つのネジの形態で設けられている可変高さスペーシング手段（２４）によって固定され；したがって金型基部は、ホルダ（２２）および／または金型基部に動作可能に連結されている移動手段を改変することなく、成形用キャビティの高さに対して軸方向で位置を決めることができる。
2008534323.tif 000002
【特許請求の範囲】
【請求項１】
ＰＥＴ等の熱可塑性物質でできており異なる高さを有しうる容器（特にボトル）をブロー成形またはストレッチブロー成形で製造する成形装置であって、
互いに移動可能な２つの半型（２Ａ、２Ｂ）、および、前記半型に対して軸と平行な方向に移動可能（矢印６）な金型基部（５）を有する少なくとも１つの金型（１）を備え、
各半型（２Ａ、２Ｂ）および前記金型基部は、それぞれ、前記金型が閉じられた位置にあるときに成形用キャビティ（１３；２１）を一緒に画定する成形用キャビティ部分（１１Ａ、１１Ｂ、１９Ａ、１９Ｂ）を有し、
前記金型基部（５）は、軸方向へ移動させる手段が機能的に連結される金型基部ホルダ（２２）に支持されており、
前記金型基部（５）および前記金型基部ホルダ（２２）は、高さ可変スペーサ手段（２４）を介して互いに固定されており、該スペーサ手段（２４）は前記成形用キャビティの高さに対応して調整可能でありネジ手段の形態で作られている、成形装置において、
前記高さ可変スペーサ手段は、前記金型基部（５）および前記金型基部ホルダ（２２）に固定された２つの反対のネジ山を有するネジ手段であり、
これにより、前記金型基部（５）が、前記金型基部ホルダ（２２）および／またはそれに連結されている前記移動手段を変えることなく、前記成形用キャビティの前記高さに対応して軸方向に位置決め可能とされていることを特徴とする成形装置。
【請求項２】
前記高さ可変スペーサ手段（２４）は、
実質的に同軸上にあり、それぞれ前記金型基部（５）および前記金型基部ホルダ（２２）に固定され、それぞれ反対のネジ山（２６ａ、２６ｂ）を有する、ネジ切りされた２本のロッド（２５ａ、２５ｂ）と、
２つの反対のネジ山（２８ａ、２８ｂ）が内側にネジ切りされ、前記２本のロッドを取り囲むリング（２７）と、
を備えることを特徴とする、請求項１に記載の成形装置。
【請求項３】
前記高さ可変スペーサ手段（２４）は、
実質的に同軸上にあり、それぞれ前記金型基部（５２つの反対の）および前記金型基部ホルダ（２２）に固定され、それぞれ反対のネジ山（３０ａ、３０ｂ）を有する、内側がネジ切りされた２つのリング（２９ａ、２９ｂ）と、
該２つのリングに係合する２つの反対のネジ山（３２ａ、３２ｂ）を外周に有するネジ切りされたロッド（３１）と、
を備えることを特徴とする、請求項１に記載の成形装置。
【請求項４】
各半型（２Ａ、２Ｂ）が、
金型ホルダ（８Ａ、８Ｂ）、
前記金型ホルダに固定されたシェルホルダ（９Ａ、９Ｂ）、および、
前記シェルホルダに支持されたシェル（１０Ａ、１０Ｂ；２０Ａ、２０Ｂ）、
を備え、
前記２つのシェルおよび前記金型基部が、それぞれ、前記金型が閉じた位置にあるとき一緒に成形用キャビティ（１３；２１）を画定する成形用キャビティ部分（１１Ａ、１１Ｂ；１９Ａ、１９Ｂ）を有していることを特徴とする、請求項１から３のいずれか一項に記載の成形装置。
【発明の詳細な説明】
【技術分野】
【０００１】
本発明は、概して、ＰＥＴ等の熱可塑性物質でできている容器（特にボトル）を、ブロー成形またはストレッチブロー成形で製造するための成形装置の分野に関し、より具体的には、これらの成形装置のうち、異なる高さを有しうる容器（特にボトル）を製造するように設計された装置に対して行われる改良に関する。この成形装置は、特に、固定された共通の軸の周りを回転することによって互いに移動可能な２つの半型、および、２つの半型に対して軸と平行な方向に移動可能な金型基部、を有する少なくとも１つの金型を備える。各半型および金型基部は、金型が閉じられた位置にあるときに成形用キャビティを一緒に画定する成形用キャビティ部分をそれぞれ備えている。金型基部は、軸方向へ移動させる手段が機能的に連結される金型基部ホルダに支持されており、金型基部および金型基部ホルダは、高さ可変スペーサ手段を介して互いに固定されており、該スペーサ手段は前記成形用キャビティの高さに対応して調整することができ、ネジ手段の形態で作られている。
【背景技術】
【０００２】
本発明は、排他的ではないが、文献ＦＲ２７３３１７６で説明されている装置のような非常に特定的な装置に適用される。その文献では、各半型は、金型ホルダ、金型ホルダに固定されているシェルホルダ、および、シェルホルダによって支持されているシェルを備え、各半型のキャビティ部分がシェル内に作られている。本発明は、勿論、この文献ＦＲ２７３３１７６に説明されているものの前の装置（その装置においては、金型ホルダは、シェルが固定されているシェルホルダを支持するのではなく、各々が半型のキャビティ部分だけでなく金型の温度を調整するための管路をも含む一体型の要素を支持している）にも適用される。
【０００３】
図１Ａは、例えば文献ＦＲ２７３３１７６に説明され描写されている成形装置の金型の、軸方向半断面および上から見た横方向斜視で概略的に図示しており、金型はその全体が符号１で表示されており、本発明を適用することができる。軸７の金型１は、具体的には、固定された共通軸４の回りを（それぞれ矢印３Ａ、３Ｂ）回転して一方が他方に関して移動可能である２つの半型２Ａ、２Ｂと、これら半型２Ａ、２Ｂに対して軸７と平行な方向にかつ同軸で移動できる（矢印６）金型基部５と、を備える。
【０００４】
各半型２Ａ、２Ｂは、それぞれ、上記軸４に連結された支持アーム１５Ａ、１５Ｂに備えられた金型ホルダ８Ａ、８Ｂと、当業者には多少なりとも知られた、対応する金型ホルダに固定されているシェルホルダ９Ａ、９Ｂと、当業者には多少なりとも知られた、各金型ホルダ９Ａ、９Ｂによって支持されているシェル１０Ａ、１０Ｂを備えている。２つのシェル１０Ａ、１０Ｂおよび金型基部５は、成形用キャビティ部分１１Ａ、１１Ｂおよび１２を備え、それらは、金型が閉じた位置にあるときに、金型１の軸７と同軸の成形用キャビティ１３を一緒に画定する。
【０００５】
ハーフシェル１０Ａ、１０Ｂおよびベース５それぞれの対向する外周面に沿うように、ハーフシェルは溝１４Ａ、１４Ｂを有している。ベースは、径方向に突き出ており金型１が図１Ａに図示するように閉じているときに溝１４Ａ、１４Ｂに収納可能な周辺リブ１６を有している。それにより、ハーフシェルおよびベースは、ブロー成形の圧力の下（４０×１０５Ｐａのオーダー）でも変形しない機械的なアセンブリを構成している。このタイプの機構は、例えば文献ＦＲ２７２０６８０、ＦＲ２８２８８２９およびＦＲ２８４１４９５に示されている。
【０００６】
図１Ａの描写では、閉じた金型１の断面平面が実質的に直径面であり、かつシェル１０Ａ、１０Ｂのパーティングライン１７に実質的に平行なことに留意されよう。
【０００７】
図１Ａに図示されている構成では、シェル１０Ａ、１０Ｂのキャビティ部分１１Ａ、１１Ｂは、実質的に前記シェル１０Ａ、１０Ｂの全高を占めており、そのシェルは、金型１の高さであるシェルホルダ９Ａ、９Ｂのそれぞれとほぼ同じ高さである。成形用キャビティ１３は、それ故、その金型に適し同金型を使用して製造できる容器（例えば図示のような２リットルボトル）の最大高さに対応する最大許容高さを有している。
【０００８】
成形の生産能力を上げるため、金型は、同じベースを有しつつ、最大高さの容器だけではなく低い容器（例えば１リットルボトル、０．６リットルボトル、その他）も製造できることが望ましい。これを実現するために、図１Ｂのように、それぞれ成形用キャビティ部分１１Ａ、１１Ｂを備えるシェル１０Ａ、１０Ｂを、それぞれ別の成形用キャビティ部分１９Ａ、１９Ｂ（この場合、それ程高くない成形用キャビティ部分）を備えるシェル２０Ａ、２０Ｂに交換することが知られている。キャビティ部分１９Ａ、１９Ｂおよびベース内のキャビティ部分１２は協働して、金型が閉じた位置にあるときに成形用キャビティ２１を画定する。そのキャビティは図１Ａのキャビティ１３ほど高くはない。実際には、成形用キャビティ部分１９Ａ、１９Ｂはハーフシェル２０Ａ、２０Ｂの上部に位置しており、ハーフシェルはシェルホルダの頂部に位置している。したがって、シェルに対するベースの軸方向の位置が成形用キャビティ部分の高さの減少に適合するように変化する限り、金型ホルダ８Ａ、８Ｂ、シェルホルダ９Ａ、９Ｂおよびベース５を含む装置全体のレイアウトは保たれる。
【０００９】
金型基部５は、金型基部ホルダ２２によって支持されており、その金型基部ホルダには成形工程の最中に金型基部５を軸方向に移動させることが可能である移動手段（図１Ａ、１Ｂには図示していない）が連結されている。金型基部５は連結部材によって金型基部ホルダ２２に固定されている。この構成では、この部材を換えて連結部材の高さを変更したり（図１Ｂに示すように最大高の成形用キャビティ１３用に短い連結部材２３を使用し、低い成形用キャビティ２１用に長い連結部材２３’を使用する）、および/または、金型基部ホルダ２２やそれに連結されている移動手段を移動させたりすることで、成形用キャビティの高さに対応して金型基部５を適切に位置させることができる。
【００１０】
しかし、こうした調整は、どのように行われたとしても時間がかかり、限定的であり、かつ結局は高価であることが判っている。したがってこれらの制約を減少、除去する要請が実際に存在する。
【００１１】
米国特許第４８１５９６０号には、金型基部を備え、その金型基部の軸方向の位置が、軸方向にネジ切りされたロッドを用いて調整することができる（ロッドはその一端がモールドベースに固定されている）成形装置が記載されている。ネジ切りされたこのロッドは、固定されたホルダによって自由に回転することができるように支持されている調整ナットを通過しており、金型基部の高さ方向の調整を可能にしている。この公知の機構では、調整ナットは固定されたベアリングで支持され、そのベアリング内で回転する。この解決策の不利な点は、金型の動きに対抗する応力が全て、回転ナットとベアリングの間の接触面で生じることにあり、これにより、摩擦部品の磨耗、および、ナットがベアリングから飛び出すリスクが生じる。
【００１２】
この問題を是正するために、上記公知の構造での回転ナットを固定ナット、具体的にはフレームに固定されたものに換えるとともに、その端部がその横断面で金型基部を支えるネジ切りされたロッドを回転させるようにしてもよい。しかし、このような機構では、ネジ切りされたロッドの回転する横断面に接触する金型基部が磨耗する、あるいは、同ロッドの小さな横断面に載っている金型基部が変形しうるという不都合がある。
【発明の開示】
【発明が解決しようとする課題】
【００１３】
成形用キャビティの高さに対応して金型基部の軸方向位置を迅速かつ経済的に調整できる改良された構造を提案し、上記不都合を是正することが本発明の目的である。
【課題を解決するための手段】
【００１４】
そのために、本発明は、熱可塑性物質例えばＰＥＴをブロー成形またはストレッチブロー成形して、異なる高さを有しうる容器（特にボトル）を製造する、冒頭で述べたように構成された成形装置であって、本発明により、高さ可変スペーサ手段が、金型基部および金型基部ホルダに固定された２つの反対のネジ山を有するネジ手段であることを特徴とする成形装置を提案する。
【００１５】
この機構により、金型基部は、金型基部ホルダおよび／またはそれに機能的に連結されている移動手段を変えることなく、成形用キャビティの高さに対して軸方向に位置決めすることができる。
【００１６】
本解決策によれば、２つの反対のネジ山を有するので、金型基部が受ける全応力がネジにかかり、したがって、大きな面積にわたって、すなわち、接触部品間の圧力が低減し、したがって磨耗の割合が低くなる。さらに、ベアリング内で回転する部品が存在しないので、摩擦および磨耗が排除される。また、ネジ切りされたロッドの端部横断面と金型基部は回転接触せず、したがってこの金型基部が磨耗または変形する可能性がなくなる。最後に、金型基部は軸方向にしか動かすことができないので金型に対して角度位置にインデックスを付けるには問題がない。
【００１７】
１つの実現可能な例示的実施形態では、高さ可変スペーサ手段が、実質的に同軸上にあり、それぞれ金型基部および金型基部ホルダに固定され、それぞれ、反対のネジ山を有する２本のネジ切りされたロッドと、内側に２つの反対のネジ山が切られ上記ロッドを取り囲むリングと、を備えるように対策がなされている。
【００１８】
第２の実現可能な例示的実施形態では、高さ可変スペーサ手段が、実質的に同軸上にあり、それぞれ金型基部および金型基部ホルダに固定され、それぞれ、反対のネジ山を有する２つのネジ切りされたリングと、外周に２つの反対のネジ山を有し各リングに係合するネジ切りされたロッドと、を備えるように対策がなされている。
【００１９】
本発明は、純粋に解説用の例として与えられる特定の好ましい実施形態に付随する詳細説明を読めばより良く理解されよう。この説明では、添付図面を参照する。
【発明を実施するための最良の形態】
【００２０】
この説明の残りの部分では、図１Ａおよび１Ｂで使用されている符号が同様の構成部品を表わすために継続して使用される。
【００２１】
本発明の目的にしたがって、図１Ａ、１Ｂに示した金型基部５と金型基部ホルダ２２の間の剛性のある連結部２３、２３’を、成形用キャビティの高さに対応して調整可能な高さ可変スペーサ手段２４に交換する対策がなされている。金型基部５は、構造、金型基部ホルダ２２の位置、および／または、それに機能的に連結されている移動手段の位置を変えることなく、成形用キャビティの高さに関して軸方向で位置を決めることができる。
【００２２】
本発明によれば、スペーサ手段２４は、純粋に機械式で、ネジ切りされた手段の形態であり、したがってその構造が簡単で製造、取付け、保守が安価であって、そのネジ切りされた手段は２つの反対のネジ山を有し、金型基部５および金型基部ホルダ２２に固定される。これらの機構の好ましい実用上の実施形態が説明される。
【００２３】
図２Ａおよび２Ｂでは、本発明に関連する図１Ａ、１Ｂの金型の部分が、これらの手段の一形態によってアレンジされており、これは図面から明らかである。この第１の例示的実施形態では、高さ可変スペーサ手段２４は、実質的に同軸上にあり、それぞれ金型基部５および金型基部ホルダ２２に固定され、それぞれ、反対のネジ山２６ａ，２６ｂを有する２本のネジ切りされたロッド２５ａ、２５ｂを備える。また、内側に２つの反対のネジ山２８ａ、２８ｂが切られ、上記ロッド２５ａ、２５ｂを取り囲むリング２７を備えている。このネジ手段が２つの反対のネジ山を有しているため、リング２７がどのように回転しても金型基部５の軸方向の移動がもたらされる（金型基部ホルダ２２は静止したままである）。
【００２４】
図２Ａでは、リング２７が回転して２本のネジ切りされたロッド２５ａ、２５ｂが互いに可能な限り近接しており、これにより、金型基部５が、金型基部と組み合う適切なキャビティ部分１１Ａ、１１Ｂをそれぞれ備えるシェル１０Ａ、１０Ｂとも協働して、最大高キャビティ１３に対応する最も低い位置に存在している。
【００２５】
図２Ｂでは、リング２７が回転して２本のネジ切りされたロッド２５ａ、２５ｂが可能な限り引き離されており、これにより、金型基部５は、金型基部と組み合う適切なキャビティ部分１９Ａ、１９Ｂそれぞれを備えるシェル２０Ａ、２０Ｂとも協働して、最小高キャビティ２１に対応するその最も高い位置に存在している。
【００２６】
図３Ａおよび３Ｂでは、本発明に関連する図１Ａ、１Ｂの金型の部分が、前述の手段の第２の例示的な形態によってアレンジされており、これは図面から明らかである。この第２の例では、高さ可変スペーサ手段２５は、実質的に同軸上にあり、それぞれ金型基部５および金型基部ホルダ２２にそれぞれ固定され、それぞれ、反対のネジ山３０ａ，３０ｂが内側に切られたリング２９ａ、２９ｂを備えている。また、外周に２つの反対のネジ山３２ａ、３２ｂが切られ、上記２つのネジ切りされたリング２９ａ、２９ｂに係合するロッド３１を備えている。ロッド３１がどのように回転（例えばそれに固定されているハンドル３３を介して回転）しても、金型基部５の軸方向の移動がもたらされる（金型基部ホルダ２２は静止したままである）。
【００２７】
図３Ａでは、ロッド３１が回転して２つのネジ切りされたリング２９ａ、２９ｂが互いに可能な限り近接しており、これにより、金型基部５が、金型基部と組み合う適切なキャビティ部分１１Ａ、１１Ｂをそれぞれ備えるシェル１０Ａ、１０Ｂとも協働して、最大高キャビティ１３に対応する最も低い位置に存在している。
【００２８】
図３Ｂでは、ロッド３１が回転して２つのネジ切りされたリング２９ａ、２９ｂが可能な限り引き離されており、これにより、金型基部５が、金型基部と組み合う適切なキャビティ部分１９Ａ、１９Ｂをそれぞれ備えるシェル２０Ａ、２０Ｂとも協働して、最小高キャビティ２１に対応する最も高い位置に存在している。
【図面の簡単な説明】
【００２９】
【図１Ａ】本明細書で上述した従来式金型を２つの機能的に異なる構成でそれぞれ直径面の断面および上から見た横方向斜視で示す略図である。
【図１Ｂ】本明細書で上述した従来式金型を２つの機能的に異なる構成でそれぞれ直径面の断面および上から見た横方向斜視で示す略図である。
【図２Ａ】それぞれ２つの異なる機能的構成で示されている、本発明によってアレンジされた金型の第１の例示的実施形態の部分を直径面の断面で示す概略部分図である。
【図２Ｂ】それぞれ２つの異なる機能的構成で示されている、本発明によってアレンジされた金型の第１の例示的実施形態の部分を直径面の断面で示す概略部分図である。
【図３Ａ】それぞれ２つの異なる機能的構成で示されている、本発明によってアレンジされた金型の第２の例示的実施形態の部分を直径面の断面で示す概略部分図である。
【図３Ｂ】それぞれ２つの異なる機能的構成で示されている、本発明によってアレンジされた金型の第２の例示的実施形態の部分を直径面の断面で示す概略部分図である。
【図１Ａ】
2008534323.tif 000003
【図１Ｂ】
2008534323.tif 000004
【図２Ａ】
2008534323.tif 000005
【図２Ｂ】
2008534323.tif 000006
【図３Ａ】
2008534323.tif 000007
【図３Ｂ】
2008534323.tif 000008
【国際調査報告】
2008534323.tif 000009
2008534323.tif 000010
2008534323.tif 000011
2008534323.tif 000012
2008534323.tif 000013
2008534323.tif 000014